【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
主燃料流れから低濃度の硫黄化合物を含有する補助燃料流れを生成するための工程であって、前記工程は、
第１の膜分離段を介して前記主燃料流れの一部を通過させることによって、前記主燃料流れから第１の蒸気透過流れおよび第１の未透過流れを分離することと、
第１の分離段の部分凝縮器において前記第１の蒸気透過流れの一部を第１の液体段流れおよび第１の蒸気段流れに凝縮することと、
脱硫反応装置を介して前記第１の蒸気段流れを通過させることと、
前記第１の蒸気段流れを研磨フィルタに送ることとを含み、
前記研磨フィルタは、前記硫黄化合物を水素硫化物または硫黄酸化物に変換する触媒を含有する、工程。
【請求項２】
主燃料流れから低濃度の硫黄化合物を含有する補助燃料流れを生成するための工程であって、前記工程は、
第１の膜分離段を介して前記主燃料流れの一部を通過させることによって、前記主燃料流れから第１の蒸気透過流れおよび第１の未透過流れを分離することと、
第１の分離段の部分凝縮器において前記第１の蒸気透過流れの一部を第１の液体段流れおよび第１の蒸気段流れに凝縮することと、
脱硫反応装置を介して前記第１の蒸気段流れを通過させることと、
第２の第１段の部分凝縮器における前記第１の蒸気段流れの一部を第２の液体段流れに凝縮することと、
第２の分離段を介して前記第２の液体段流れを通過させることによって、前記第２の液体段流れから第２の蒸気透過流れおよび第２の未透過流れを分離させることと、
前記第１の未透過流れおよび前記第２の蒸気透過流れを混合して、前記混合物を前記主燃料流れに戻すこととを含む、工程。
【請求項３】
主燃料流れから低濃度の硫黄化合物を含有する補助燃料流れを生成するための工程であって、前記工程は、
第１の膜分離段を介して前記主燃料流れの一部を通過させることによって、前記主燃料流れから第１の蒸気透過流れおよび第１の未透過流れを分離することと、
第１の分離段の部分凝縮器において前記第１の蒸気透過流れの一部を第１の液体段流れおよび第１の蒸気段流れに凝縮することと、
脱硫反応装置を介して前記第１の蒸気段流れを通過させることと、
第２の第１段の部分凝縮器における前記第１の蒸気段流れの一部を第２の液体段流れに凝縮することと、
第２の分離段を介して前記第２の液体段流れを通過させることによって、前記第２の液体段流れから第２の蒸気透過流れおよび第２段の未透過流れを分離させることとを含む、工程。
【請求項４】
第２の未透過流れは、研磨フィルタに送られ、前記研磨フィルタからの前記排出液体は補助電源装置用の清浄な燃料となる、請求項２に記載の工程。
【請求項５】
前記第２の蒸気透過流れおよび第２段の未透過流れを分離することは、所定の浸透気化温度範囲および所定の浸透気化真空圧範囲内で維持される硫黄選択膜を介して前記第２の液体段流れを通過させることを含む、請求項３に記載の工程。
【請求項６】
研磨フィルタを介して前記第２段の未透過流れを送ることをさらに含む、請求項３に記載の工程。
【請求項７】
主燃料流れから低濃度の硫黄化合物を含有する補助燃料流れを生成するシステムであって、前記システムは、
主燃料流れの一部を第１の蒸気透過流れおよび第１の未透過流れに分離するための第１の分離段と、
前記第１の蒸気透過流れの一部を第１の液体段流れおよび第１の蒸気段流れに凝縮する前記第１の蒸気透過流れに連結される第１の分離段の部分凝縮器と、
前記第１の蒸気段流れの一部を第２の液体段に凝縮する第２の分離段の部分凝縮器と、
前記第２の液体段流れを第２の蒸気透過流れおよび第２の未透過流れに分離するための第２の分離段と、
前記第１の未透過流れおよび前記第２の蒸気透過流れを混合して、前記混合物を前記主燃料流れに戻す混合器とを備える、システム。
【請求項８】
主燃料流れから低濃度の硫黄化合物を含有する補助燃料流れを生成するシステムであって、前記システムは、
主燃料流れの一部を第１の蒸気透過流れおよび第１の未透過流れに分離するための第１の分離段と、
前記第１の蒸気透過流れの一部を第１の液体段流れおよび第１の蒸気段流れに凝縮する前記第１の蒸気透過流れに連結される第１の分離段の部分凝縮器と、
前記第１の蒸気段流れの一部を第２の液体段に凝縮する第２の分離段の部分凝縮器と、
前記第２の液体段流れを第２の蒸気透過流れおよび第２の未透過流れに分離するための第２の分離段とを備える、システム。
【請求項９】
前記第２の液体段流れに連結される研磨フィルタをさらに備える、請求項８に記載のシステム。
【請求項１０】
前記第２の分離段は、前記第２の液体段流れを前記第２の蒸気透過流れおよび前記第２の未透過流れに通過させるように動作可能な所定の浸透気化温度範囲および所定の浸透気化真空圧範囲内に維持される硫黄選択膜を備える、請求項８に記載のシステム。
【請求項１１】
前記第２段の未透過流れを受け入れ、そこから前記補助燃料流れを生成する研磨フィルタをさらに備える、請求項８に記載のシステム。
【請求項１２】
主燃料流れから低濃度の硫黄化合物を含有する補助燃料流れを生成するシステムであって、前記システムは、
主燃料流れの一部を第１の蒸気透過流れおよび第１の未透過流れに分離するための第１の分離段と、
前記第１の蒸気透過流れの一部を第１の液体段流れおよび第１の蒸気段流れに凝縮する前記第１の蒸気透過流れに連結される第１の分離段の部分凝縮器と、
前記第１の蒸気段流れの一部を第２の液体段に凝縮する第２の分離段の部分凝縮器と、
前記第１の分離段と、前記第１段の透過蒸気を受け入れる第１の分離段の部分凝縮器との間に連結される研磨フィルタとを備え、
前記研磨フィルタは、前記硫黄化合物を水素硫化物または硫黄酸化物に変換して、前記研磨フィルタの選択性および吸収性能を増大させる触媒を含有する、システム。
【請求項１３】
主燃料流れから低濃度の硫黄化合物を含有する補助燃料流れを生成する工程であって、前記工程は、
第１の膜分離段を介して前記主燃料流れの一部を通過させることによって、前記主燃料流れから第１の蒸気透過流れおよび第１の未透過流れを分離することと、
第１の分離段の部分凝縮器において前記第１の蒸気透過流れの一部を第１の液体段流れおよび第１の蒸気段流れに凝縮することと、
触媒反応装置において反応物質と前記蒸気段流れを反応させて、分離可能な硫黄化合物を形成することと、
二次分離構成要素において前記硫黄化合物を分離することと、
第２の第１段の部分凝縮における前記第１の蒸気段流れの一部を第２の液体段流れに凝縮することと、
第２の分離段を介して前記第２の液体段流れを通過させることによって、前記第２の液体段流れから第２の蒸気透過流れおよび第２の未透過流れを分離することとを含む、工程。
【請求項１４】
前記第２の液体段流れが研磨フィルタに送られる、請求項１３に記載の工程。
【請求項１５】
前記第２の蒸気透過流れおよび第２段の未透過流れを分離することは、所定の浸透気化温度範囲および所定の浸透気化真空圧範囲内で維持される硫黄選択膜を介して前記第２の液体段流れを通過させることを含む、請求項１３に記載の工程。
【請求項１６】
前記第２段の未透過流れを研磨フィルタを通して送ることをさらに含む、請求項１５に記載の工程。
【請求項１７】
主燃料流れから低濃度の硫黄化合物を含有する補助燃料流れを生成するシステムであって、前記システムは、
主燃料流れの一部を第１の蒸気透過流れおよび第１の未透過流れに分離するための第１の分離段と、
前記第１の蒸気透過流れの一部を第１の液体段流れおよび第１の蒸気段流れに凝縮する前記第１の蒸気透過流れに連結される第１の分離段の部分凝縮器と、
前記第１の蒸気段流れを受け入れる反応性脱硫触媒反応装置と、
前記触媒反応装置からの前記第１の蒸気段流れの一部を第２の液体段に凝縮する第２の分離段の部分凝縮器とを備える、システム。
【請求項１８】
前記第２の液体段流れに連結される研磨フィルタをさらに備え、前記研磨フィルタからの排出液体が、清浄な燃料となる、請求項１７に記載のシステム。
【請求項１９】
前記第１の分離段は、前記主燃料流れを前記第１の蒸気透過流れおよび前記第１の未透過流れに分離するように動作可能な所定の浸透気化温度範囲および所定の浸透気化真空圧範囲内に維持される高流束の非硫黄選択膜を備える、請求項１７に記載のシステム。
【請求項２０】
前記第１の部分凝縮器の温度は、前記第１の蒸気透過流れの一部の凝縮を管理するように制御される、請求項１７に記載のシステム。
【請求項２１】
前記第１の部分凝縮器の前記温度は、前記第１の蒸気透過流れの一部の凝縮を管理するように制御される、請求項１９に記載のシステム。
【請求項２２】
前記第２の液体段流れを第２の蒸気透過流れおよび第２の未透過流れに分離するための第２の分離段と、
前記第１の未透過流れおよび前記第２の蒸気透過流れを混合して、前記混合物を前記主燃料流れに戻す混合器とをさらに備える、請求項１７に記載のシステム。